(57)【要約】【課題】無線基地局制御局との間で発生した回線障害がある一定時間経過しても復旧しない場合に、回線再同期制御を行い得る移動通信システムを提供する。【解決手段】中央監視制御部１１は、無線基地局１０を立ち上げた後、カード状態監視タイマ値４２を設定して無線基地局１０を構成する機能の異なる複数のカード３０〜３ｎの運用状態を一定周期毎に監視し、カードの運用状態から運用回線の回線断を検出した場合に、回線同期外れ保護段数４３を設定して該当する再同期監視フラグをオンにし、回線同期外れタイマのタイマ時間内に同一カードの状態変化を検出できなかった場合には回線同期外れであることを判断し、同期確立失敗タイマを設定して相手無線基地局制御局と通信する際の回線同期用クロックのタイミングをずらす回線再同期の制御を試行する。また、再同期が確立しないまま同期確立失敗タイマが終了した場合に、保守監視卓１に通知する。【選択図】　　　図２
2004064451.tif 000002
【特許請求の範囲】
【請求項１】
移動通信システムにおける無線基地局と無線基地局制御局との間の回線で障害が発生した際の回線復旧方法であって、当該無線基地局と相手無線基地局制御局との間の回線で、ある一定時間同期が確立しなかった場合に、当該無線基地局が前記相手無線基地局制御局と通信する際の回線同期用クロックのタイミングをずらす回線再同期の制御を試行して回線復旧を図ることを特徴とする回線復旧方法。
【請求項２】
移動通信システムにおける無線基地局が無線基地局制御局との間の回線で障害を検出した際の回線復旧方法であって、
前記無線基地局を構成する機能の異なる複数のカードの運用状態を一定周期毎に監視して状態変化を検出する第１のステップと、
前記状態変化の内容が運用回線の回線断か否かを判断する第２のステップと、
回線同期外れ検出タイマを利用して回線同期外れか否かを判断する第３のステップと、
回線同期外れと判断した時に回線再同期の制御を試行する第４のステップと、
回線再同期の制御が失敗した時に保守者へ通知する第５のステップと、
を含むことを特徴とする回線復旧方法。
【請求項３】
前記第１のステップは、カード状態監視タイマを定期的に起動し、タイマ終了時に各カードの運用状態を監視し、状態変化を検出した時には検出した内容が前回と同じか否かをチェックし、異なる場合にはその内容を保存することを特徴とする請求項２記載の回線復旧方法。
【請求項４】
前記第２のステップは、前記状態変化を検出したカードがいずれの機能のカードかを判断し、さらにその内容がカード運用中の回線断か否かを判断することを特徴とする請求項２又は３記載の回線復旧方法。
【請求項５】
前記第３のステップは、前記状態変化の内容がカード運用中の回線断であれば前記回線同期外れ検出タイマを起動して再同期監視フラグをオンにし、前記回線同期外れ検出タイマのタイマ時間内に同一カードで状態変化を検出し、その内容が回線断からの復旧であって前記再同期監視フラグがオンと判別された場合には回線断が一時的であったと判断して前記回線同期外れ検出タイマの動作を解除し、前記回線同期外れ検出タイマのタイマ時間内に同一カードの状態変化を検出できなかった場合には回線同期外れであると判断することを特徴とする請求項２、３又は４記載の回線復旧方法。
【請求項６】
前記第４のステップは、回線同期外れと判断した場合、同期確立失敗タイマおよび同期タイミング更新タイマを起動し、前記同期タイミング更新タイマが終了したとき当該回線の回線状態をチェックして回線断状態であれば前記同期タイミング更新タイマを再登録するとともに、前記無線基地局制御局と通信する際の回線同期用クロックのタイミングをずらす回線再同期の制御を試行し、前記同期タイミング更新タイマが終了したとき回線確立状態あるいは回線確立中であれば、前記同期確立失敗タイマの動作を解除することを特徴とする請求項２又は５記載の回線復旧方法。
【請求項７】
前記第５のステップは、複数回の回線再同期の制御の試行で回線再同期が確立しないまま前記同期確立失敗タイマが終了した場合、正常状態の回線があれば当該回線を用いて前記保守者へ回線調査を促すための回線障害通知を送信し、回線障害が起きている回線を用いて呼接続を行っている無線送受信機を停波して他の正常な無線送受信機に移し、正常状態の回線がなければ回線障害による呼接続不可を防止するため、自局の再立ち上げ（再開）を行い、前記無線基地局制御局との回線が復旧するまで待機することを特徴とする請求項２又は６記載の回線復旧方法。
【請求項８】
１つの保守監視卓の下に複数の無線基地局制御局が配置され、各無線基地局制御局の下に複数の無線基地局が配置され、各無線基地局は複数の移動機と通信を行う移動通信システムにおいて、当該無線基地局が相手無線基地局制御局との間の回線で、ある一定時間同期が確立しなかった場合に回線の同期外れと判断し、当該無線基地局が前記相手無線基地局制御局と通信する際の回線同期用クロックのタイミングをずらす回線再同期の制御を試行し、回線再同期の確立が失敗したときに保守監視卓（保守者）に通知することを特徴とする移動通信システム。
【請求項９】
１つの保守監視卓の下に複数の無線基地局制御局が配置され、各無線基地局制御局の下に複数の無線基地局が配置され、各無線基地局が複数の無線周波数で複数の移動機との通信を行なうとともに、前記無線基地局制御局との間に障害が生じた場合に、その障害情報を前記保守監視卓へ通知する移動通信システムであって、
前記無線基地局は、自局全体の動作を監視、制御する中央監視制御部と、前記無線基地局制御局とネットワークを介して通信を行う回線相当数の回線監視制御部と、無線区間の信号送受信を行う複数の無線送受信機と、自局を構成する機能の異なる複数のカードと、自局の動作のための制御プログラムおよび自局と前記無線基地局制御局との間の運用状態監視のための運用パラメータを格納し、且つ二重化構成からなる現用系ＳＤＭ（Ｓｔａｔｉｃ　Ｄｉｒｅｃｔ　Ｍｅｍｏｒｙ）および待機系ＳＤＭと、読み出した前記運用パラメータを展開するための共通メモリとを備え、
前記現用系ＳＤＭおよび前記待機系ＳＤＭに格納されている前記運用パラメータのうち、前記複数のカードの運用状態を一定周期毎に監視するためのカード状態監視タイマ値と、回線の同期外れを判断するための回線同期外れ保護段数と、回線再同期の制御の最大試行時間を規定するための同期確立失敗保護段数と、回線断発生時に回線断が発生したカードを識別するための再同期監視フラグと、回線の同期外れ時に回線再同期の制御を試行する単位時間を規定する同期タイミング更新タイマ値と、を有することを特徴とする移動通信システム。
【請求項１０】
前記中央監視制御部は、前記カード状態監視タイマ値を設定し、タイマ終了時に各カードの運用状態を定期的に監視し、状態変化を検出した時には検出した内容が前回と同じか否かをチェックし、異なる場合にはその内容を保存することを特徴とする請求項９記載の移動通信システム。
【請求項１１】
前記中央監視制御部は、前記状態変化を検出したカードがいずれの機能のカードかを判断し、さらにその内容がカード運用中の回線断か否かを判断することを特徴とする請求項９又は１０記載の移動通信システム。
【請求項１２】
前記中央監視制御部は、前記状態変化の内容がカード運用中の回線断であれば前記回線同期外れ保護段数に基づいて同期外れ検出タイマを起動するとともに前記再同期監視フラグをオンにし、前記回線同期外れ検出タイマのタイマ時間内に同一カードで状態変化を検出し、その内容が回線断からの復旧であって前記再同期監視フラグがオンと判別された場合には前記回線同期外れ検出タイマの動作を解除し、前記回線同期外れ検出タイマのタイマ時間内に同一カードの状態変化を検出できなかった場合には回線同期外れであるとを判断することを特徴とする請求項９、１０又は１１記載の移動通信システム。
【請求項１３】
前記中央監視制御部は、回線同期外れと判断した場合、前記同期確立失敗保護段数に基づいて同期確立失敗タイマを起動するとともに、回線断が発生している回線監視制御部に対して回線再同期を促し、当該回線監視制御部が前記同期タイミング更新タイマ値を設定し、前記同期タイミング更新タイマが終了したとき回線状態をチェックして回線断状態であれば前記同期タイミング更新タイマを再登録するとともに、前記無線基地局制御局と通信する際の回線同期用クロックのタイミングをずらす回線再同期の制御を試行し、前記同期タイミング更新タイマが終了したとき回線確立状態あるいは回線確立中であれば、当該回線監視制御部の送出する回線再同期確立通知を受け取った時点で前記同期確立失敗タイマの動作を解除することを特徴とする請求項９、１０、１１又は１２記載の移動通信システム。
【請求項１４】
前記中央監視制御部は、複数回の回線再同期の制御の試行で回線再同期が確立しないまま前記同期確立失敗タイマが終了した場合、正常状態の回線があれば当該回線を用いて保守者へ回線調査を促すための回線障害通知を送信し、回線障害が起きている回線を用いて呼接続を行っている無線送受信機を停波して他の無線送受信機に移し、正常状態の回線がなければ回線障害による呼接続不可を防止するため、自局の再立ち上げ（再開）を行い、前記無線基地局制御局との回線が復旧するまで待機することを特徴とする請求項９、１０、１１、１２又は１３記載の移動通信システム。
【請求項１５】
前記運用パラメータは、前記無線基地局制御局からのダウンロードにより、変更可能とされることを特徴とする請求項９記載の移動通信システム。
【発明の詳細な説明】
【０００１】
【発明の属する技術分野】
本発明は、回線復旧方法に関し、特に移動通信システムにおける無線基地局と無線基地局制御局との間で回線障害が発生した場合の回線復旧方法に関する。
【０００２】
【従来の技術】
従来よりの移動通信システムの構成について説明する。図１は、一般的な移動通信システムの構成を示す図である。
【０００３】
図１によると、移動通信システムは、１つの保守監視卓１に複数の無線基地局制御局２が接続され、それぞれの無線基地局制御局２には複数の無線基地局３が接続され、それぞれの無線基地局３には複数の移動機４が存在する構成となっている。
【０００４】
保守監視卓１と無線基地局制御局２との間は有線で接続され、無線基地局制御局２と無線基地局３との間は有線で接続され、無線基地局３と移動機４との間は無線で接続されている。また、無線基地局制御局２と無線基地局３との間は基本的には有線で接続されるが、ケーブル等の敷設が困難な場所には無線基地局制御局２と無線基地局３との間に簡易無線装置を設置して接続を行う。無線基地局制御局２と無線基地局３との間は１局当たり複数の回線が接続され、無線基地局３は機能の異なる複数のカードにより構成されている。
【０００５】
この無線基地局３における同期方式は、無線基地局制御局２あるいは簡易無線装置からクロックの供給を受ける従属同期方式が採用されている。このため、簡易無線装置からクロックの供給を受けている無線基地局３でクロック瞬断等により回線の同期外れが起きた時、無線基地局３は同期ずれを起こしたタイミングで無線基地局制御局２との同期を確立しようとしても、無線基地局制御局２との回線同期が確立できず回線障害となった場合には、保守者が現局へ赴いて復旧作業を行っていた。
【０００６】
したがって、この移動通信システムにおいて次のような問題が生ずる。
【０００７】
第１の問題点は、無線基地局と無線基地局制御局間との回線同期が確立できない場合、回線の同期外れによる原因か、無線基地局制御局からのクロックが無線基地局に届いていないことによる原因かの区別ができないために、保守者が現地に赴かねばならないことである。
【０００８】
第２の問題点は、無線基地局が各地に点在し、設置場所によっては容易に行くことができず、障害発生時の復旧に時間がかかることである。
【０００９】
【発明が解決しようとする課題】
上述した従来の移動通信システムは、無線基地局と無線基地局制御局との間の回線で同期が確立できない場合、原因を切り分けるために、保守者が無線基地局に赴かねばならないという欠点がある。
【００１０】
また、無線基地局は設置場所によっては容易に行くことができないため、障害発生時の復旧に時間がかかるという欠点がある。
【００１１】
本発明の目的は、このような従来の欠点を除去するため、無線基地局と無線基地局制御局との間で発生した回線障害がある一定時間経過しても復旧しない場合には回線の同期外れと判断し、無線基地局が相手無線基地局制御局と通信する際の回線同期用クロックのタイミングをずらす回線再同期の制御を試行し、無線基地局制御局との回線再同期を図ることにより、保守者が現局へ赴く回数を減らすことができる移動通信システムを提供することにある。
【００１２】
【課題を解決するための手段】
本発明の回線復旧方法は、移動通信システムにおける無線基地局と無線基地局制御局との間の回線で障害が発生した際の回線復旧方法であって、当該無線基地局と相手無線基地局制御局との間の回線で、ある一定時間同期が確立しなかった場合に、当該無線基地局が前記相手無線基地局制御局と通信する際の回線同期用クロックのタイミングをずらす回線再同期の制御を試行して回線復旧を図ることを特徴としている。
【００１３】
また、本発明の回線復旧方法は、移動通信システムにおける無線基地局が無線基地局制御局との間の回線で障害を検出した際の回線復旧方法であって、
前記無線基地局を構成する機能の異なる複数のカードの運用状態を一定周期毎に監視して状態変化を検出する第１のステップと、
前記状態変化の内容が運用回線の回線断か否かを判断する第２のステップと、
回線同期外れ検出タイマを利用して回線同期外れか否かを判断する第３のステップと、
回線同期外れと判断した時に回線再同期の制御を試行する第４のステップと、
回線再同期の制御が失敗した時に保守者へ通知する第５のステップと、
を含むことを特徴としている。
【００１４】
また、前記第１のステップは、カード状態監視タイマを定期的に起動し、タイマ終了時に各カードの運用状態を監視し、状態変化を検出した時には検出した内容が前回と同じか否かをチェックし、異なる場合にはその内容を保存することを特徴としている。
【００１５】
また、前記第２のステップは、前記状態変化を検出したカードがいずれの機能のカードかを判断し、さらにその内容がカード運用中の回線断か否かを判断することを特徴としている。
【００１６】
また、前記第３のステップは、前記状態変化の内容がカード運用中の回線断であれば前記回線同期外れ検出タイマを起動して再同期監視フラグをオンにし、前記回線同期外れ検出タイマのタイマ時間内に同一カードで状態変化を検出し、その内容が回線断からの復旧であって前記再同期監視フラグがオンと判別された場合には回線断が一時的であったと判断して前記回線同期外れ検出タイマの動作を解除し、前記回線同期外れ検出タイマのタイマ時間内に同一カードの状態変化を検出できなかった場合には回線同期外れであると判断することを特徴としている。
【００１７】
また、前記第４のステップは、回線同期外れと判断した場合、同期確立失敗タイマおよび同期タイミング更新タイマを起動し、前記同期タイミング更新タイマが終了したとき当該回線の回線状態をチェックして回線断状態であれば前記同期タイミング更新タイマを再登録するとともに、前記無線基地局制御局と通信する際の回線同期用クロックのタイミングをずらす回線再同期の制御を試行し、前記同期タイミング更新タイマが終了したとき回線確立状態あるいは回線確立中であれば、前記同期確立失敗タイマの動作を解除することを特徴としている。
【００１８】
また、前記第５のステップは、複数回の回線再同期の制御の試行で回線再同期が確立しないまま前記同期確立失敗タイマが終了した場合、正常状態の回線があれば当該回線を用いて前記保守者へ回線調査を促すための回線障害通知を送信し、回線障害が起きている回線を用いて呼接続を行っている無線送受信機を停波して他の正常な無線送受信機に移し、正常状態の回線がなければ回線障害による呼接続不可を防止するため、自局の再立ち上げ（再開）を行い、前記無線基地局制御局との回線が復旧するまで待機することを特徴としている。
【００１９】
また、本発明の移動通信システムは、１つの保守監視卓の下に複数の無線基地局制御局が配置され、各無線基地局制御局の下に複数の無線基地局が配置され、各無線基地局は複数の移動機と通信を行う移動通信システムにおいて、当該無線基地局が相手無線基地局制御局との間の回線で、ある一定時間同期が確立しなかった場合に回線の同期外れと判断し、当該無線基地局が前記相手無線基地局制御局と通信する際の回線同期用クロックのタイミングをずらす回線再同期の制御を試行し、回線再同期の確立が失敗したときに保守監視卓（保守者）に通知することを特徴としている。
【００２０】
また、本発明の移動通信システムは、１つの保守監視卓の下に複数の無線基地局制御局が配置され、各無線基地局制御局の下に複数の無線基地局が配置され、各無線基地局が複数の無線周波数で複数の移動機との通信を行なうとともに、前記無線基地局制御局との間に障害が生じた場合に、その障害情報を前記保守監視卓へ通知する移動通信システムであって、
前記無線基地局は、自局全体の動作を監視、制御する中央監視制御部と、前記無線基地局制御局とネットワークを介して通信を行う回線相当数の回線監視制御部と、無線区間の信号送受信を行う複数の無線送受信機と、自局を構成する機能の異なる複数のカードと、自局の動作のための制御プログラムおよび自局と前記無線基地局制御局との間の運用状態監視のための運用パラメータを格納し、且つ二重化構成からなる現用系ＳＤＭ（Ｓｔａｔｉｃ　Ｄｉｒｅｃｔ　Ｍｅｍｏｒｙ）および待機系ＳＤＭと、読み出した前記運用パラメータを展開するための共通メモリとを備え、
前記現用系ＳＤＭおよび前記待機系ＳＤＭに格納されている前記運用パラメータのうち、前記複数のカードの運用状態を一定周期毎に監視するためのカード状態監視タイマ値と、回線の同期外れを判断するための回線同期外れ保護段数と、回線再同期の制御の最大試行時間を規定するための同期確立失敗保護段数と、回線断発生時に回線断が発生したカードを識別するための再同期監視フラグと、回線の同期外れ時に回線再同期の制御を試行する単位時間を規定する同期タイミング更新タイマ値と、を有することを特徴としている。
【００２１】
また、前記中央監視制御部は、前記カード状態監視タイマ値を設定し、タイマ終了時に各カードの運用状態を定期的に監視し、状態変化を検出した時には検出した内容が前回と同じか否かをチェックし、異なる場合にはその内容を保存することを特徴としている。
【００２２】
また、前記中央監視制御部は、前記状態変化を検出したカードがいずれの機能のカードかを判断し、さらにその内容がカード運用中の回線断か否かを判断することを特徴としている。
【００２３】
また、前記中央監視制御部は、前記状態変化の内容がカード運用中の回線断であれば前記回線同期外れ保護段数に基づいて同期外れ検出タイマを起動するとともに前記再同期監視フラグをオンにし、前記回線同期外れ検出タイマのタイマ時間内に同一カードで状態変化を検出し、その内容が回線断からの復旧であって前記再同期監視フラグがオンと判別された場合には前記回線同期外れ検出タイマの動作を解除し、前記回線同期外れ検出タイマのタイマ時間内に同一カードの状態変化を検出できなかった場合には回線同期外れであるとを判断することを特徴としている。
【００２４】
また、前記中央監視制御部は、回線同期外れと判断した場合、前記同期確立失敗保護段数に基づいて同期確立失敗タイマを起動するとともに、回線断が発生している回線監視制御部に対して回線再同期を促し、当該回線監視制御部が前記同期タイミング更新タイマ値を設定し、前記同期タイミング更新タイマが終了したとき回線状態をチェックして回線断状態であれば前記同期タイミング更新タイマを再登録するとともに、前記無線基地局制御局と通信する際の回線同期用クロックのタイミングをずらす回線再同期の制御を試行し、前記同期タイミング更新タイマが終了したとき回線確立状態あるいは回線確立中であれば、当該回線監視制御部の送出する回線再同期確立通知を受け取った時点で前記同期確立失敗タイマの動作を解除することを特徴としている。
【００２５】
また、前記中央監視制御部は、複数回の回線再同期の制御の試行で回線再同期が確立しないまま前記同期確立失敗タイマが終了した場合、正常状態の回線があれば当該回線を用いて保守者へ回線調査を促すための回線障害通知を送信し、回線障害が起きている回線を用いて呼接続を行っている無線送受信機を停波して他の無線送受信機に移し、正常状態の回線がなければ回線障害による呼接続不可を防止するため、自局の再立ち上げ（再開）を行い、前記無線基地局制御局との回線が復旧するまで待機することを特徴としている。
【００２６】
また、前記運用パラメータは、前記無線基地局制御局からのダウンロードにより、変更可能とされることを特徴としている。
【００２７】
【発明の実施の形態】
次に、本発明の実施の形態について図面を参照して説明する。図１は、本発明に係わる移動通信システムの構成図である。図２は、本発明の回線復旧方法が適用される無線基地局の一つの実施の形態を示すブロック図である。なお、図２の無線基地局制御局９０および無線基地局１０は、図１の無線基地局制御局２および無線基地局３に相当する。
【００２８】
図１に示す移動通信システムは、システム全体の運用情報を監視する保守監視卓１と、保守監視卓１に接続され傘下の複数の無線基地局３を制御する無線基地局制御局２と、無線基地局制御局２に有線回線で接続される複数の無線基地局３と、無線基地局３に無線回線で接続される複数の移動機４とを備えて構成されている。
【００２９】
また、図２に示す無線基地局１０は、無線基地局１０全体の動作を監視、制御する中央監視制御部１１と、上位局である無線基地局制御局９０とネットワーク８０〜８ｎを介して通信を行う回線監視制御部６０〜６ｎと、無線区間である移動機との通信を行う無線送受信機２０〜２ｎと、無線基地局１０を構成する機能の異なる複数のカード３０〜３ｎと、無線基地局１０の動作のための制御プログラムおよび無線基地局１０と無線基地局制御局９０との間の運用状態監視のための運用パラメータを記憶し、且つ二重化構成からなる現用系ＳＤＭ（Ｓｔａｔｉｃ　Ｄｉｒｅｃｔ　Ｍｅｍｏｒｙ）４０および待機系ＳＤＭ４１と、運用パラメータを展開するための共通メモリ４５と、無線基地局１０を構成する各カード３０〜３ｎの運用状態を一定周期毎に監視するためのカード状態監視タイマ値４２と、回線断の場合に瞬断か同期外れによる回線断かを判断するための回線同期外れ保護段数４３と、回線再同期の制御の最大試行時間を規定するための同期確立失敗保護段数４４と、回線断発生時に回線断が発生したカードを識別するための再同期監視フラグ５０〜５ｎと、回線の同期外れ時に回線再同期の制御を試行する単位時間を規定する同期タイミング更新タイマ値７０〜７ｎとを有して構成される。
【００３０】
なお、無線基地局１０と無線基地局制御局９０との間には、ネットワーク８１〜８ｎを最大４回線まで接続することが可能である。また、ネットワーク８１〜８ｎの構成は、たとえば制御チャネルと通話チャネルとの組合わせとなっている場合には最大２回線まで接続される。
【００３１】
次に、本発明の回線復旧方法に基づく無線基地局の動作を図面を参照して詳細に説明する。図３は図１の無線基地局における運用状態の監視方法を説明するためのフローチャートであり、図４は図１の無線基地局における再同期確立処理と回線障害通知処理の手順を示すフローチャートであり、図５は図１の無線基地局における架内立ち上げ処理と回線断の検出から回線障害通知を行うまでの流れを示すフローチャートである。
【００３２】
なお、以下に説明する各ステップにおいて、ステップ３０１〜ステップ３２２は図３の説明であり、ステップ４０１〜ステップ４１８は図４の説明であり、ステップ５０１〜ステップ５１３は図５の説明である。
【００３３】
（架内立ち上げ処理）
まず、システムのサービス開始に当たり、現用系ＳＤＭ４０および待機系ＳＤＭ４１には、外部より同じ版数の制御プログラムと運用パラメータとが予め書き込まれる。
【００３４】
中央監視制御部１１は、現用系ＳＤＭ４０に書き込まれている制御プログラムを読み込み、無線基地局制御局９０と有線回線を介して通信を行う回線監視制御部６０〜６ｎと、無線区間の信号送受信を行う無線送受信機２０〜２ｎと、無線基地局１０を構成する機能の異なる複数のカード３０〜３ｎとを立ち上げて、運用を開始する（Ｓ５０１〜Ｓ５０２、Ｓ６０１〜Ｓ６０２、Ｓ６２９〜Ｓ６３０）。
【００３５】
無線基地局１０の立ち上げが完了した後、中央監視制御部１１は、現用系ＳＤＭ４０から再同期確立のための運用パラメータを読み出し、カード状態監視タイマ値４２、回線同期外れ保護段数４３、同期確立失敗保護段数４４および同期タイミング更新タイマ値７０〜７ｎを共通メモリ４５に展開する（Ｓ５０３〜Ｓ５０７、Ｓ６０３〜Ｓ６０７、Ｓ６３１〜Ｓ６３５）。
【００３６】
共通メモリ４５へ運用パラメータを展開した後、中央監視制御部１１は、回線監視制御部６０〜６ｎへ再同期確立パラメータを送信し、その応答を受け取る（Ｓ５０８〜Ｓ５０９、Ｓ６０８〜Ｓ６０９、Ｓ６３６〜Ｓ６３７）。
【００３７】
（カード状態監視処理）
中央監視制御部１１は、無線基地局１０を構成する各カード３０〜３ｎの運用状態を監視するため、共通メモリへ展開したカード状態監視タイマ値４２を読み出してタイマ部へ登録を行う（Ｓ３０１〜Ｓ３０２）。登録したカード状態監視タイマ値４２のタイマが終了した時、無線基地局１０を構成する各カード３０〜３ｎの運用状態を読み込む（Ｓ３０３〜Ｓ３０５）。
【００３８】
中央監視制御部１１は、機能の異なる複数のカード３０〜３ｎそれぞれの運用状態を前回の状態と比較して、変化がなければ次順のカードをチェックし、状態変化を検出した時には検出した内容が前回と同じか否かをチェックする。同じ場合には次順のカードをチェックし、異なる場合にはその内容を保存する（Ｓ３０６〜Ｓ３０７）。
【００３９】
状態変化の内容を保存した後、中央監視制御部１１は、状態変化が検出されたカードがいずれの機能のカードかを判断し、回線監視制御部６０〜６ｎであれば、その障害内容がカード運用中の回線断か否かを判断する（Ｓ３０８〜Ｓ３０９）。
【００４０】
回線断の発生であれば、回線監視制御部６０〜６ｎ毎に持っている再同期監視フラグ５０〜５ｎをチェックする（Ｓ３１０）。該当する再同期監視フラグがオフであれば、回線断の内容が瞬断によるものか、あるいは同期ずれによる回線断かを判断するため、回線同期外れ保護段数４３から回線同期外れ検出タイマ値を読み出してタイマ部に登録するとともに、該当する再同期監視フラグをオンにする（Ｓ３１１〜Ｓ３１３）。該当する再同期監視フラグがオンであれば、次順のカードの運用状態をチェックする（Ｓ３１７）。
【００４１】
ステップ３０９において、回線断の発生がなければ、該当する再同期監視フラグをチェックする。該当する再同期監視フラグがオンであれば、状態変化の内容が回線断からの復旧であると判断し、再同期監視フラグをオフにし、回線同期外れ検出タイマを停止する（Ｓ３１４〜Ｓ３１６）。該当する再同期監視フラグがオフであれば、次順のカードの運用状態をチェックする（Ｓ３１７）。
【００４２】
以上の説明において、回線監視制御部６０〜６ｎのいずれかの運用状態に変化があり、その変化の内容がカード運用中の回線断であって、さらに該当する再同期監視フラグがオフの場合には、回線断が瞬断か否かを判断するために回線同期外れ検出タイマ値を読み出してタイマ部に登録を行い、同一カードで回線監視制御部の運用状態に変化があり、該当する再同期監視フラグがオンの場合に、回線断からの復旧によるものとして該当する回線同期外れ検出タイマが中断（解除）される。
【００４３】
この回線同期外れ検出タイマ値は、ステップ３０３〜３１７が既定の回数実行される時間に設定され、タイマ設定時間内に回線断からの復旧がない場合にタイマ終了して、回線再同期確立の手順に引き継がれる（Ｓ３２０、Ｓ５１３）。したがって、運用中カードの回線断が発生した場合には、回線同期外れ検出タイマを起動し、タイマ終了までに各カードの運用状態を複数回監視して、復旧するか否か、すなわち瞬断か回線同期外れかが切り分けられる。
【００４４】
（再同期確立処理）
次に、登録した回線同期外れ検出タイマが終了した場合、同期確立失敗保護段数４４から同期確立失敗タイマ値を読み出してタイマ部に登録する（Ｓ３１８〜Ｓ３１９、Ｓ４０１〜Ｓ４０２）。同期確立失敗タイマ値は、回線再同期確立失敗時に、保守監視卓１へ回線障害による回線再同期確立不可となっている回線の調査を促す回線障害通知の送信時期の目安、あるいは回線再同期の制御の最大試行時間として使用される。
【００４５】
同期確立失敗タイマを登録後、中央監視制御部１１は、回線断が発生した回線監視制御部６ｋ（ｋ＝１〜ｎ）に対して再同期確立要求を行う。再同期確立要求を受け付けた回線監視制御部６ｋは、中央監視制御部１１から受け取った再同期確立パラメータのうち、同期タイミング更新タイマ値６ｋを読み出してタイマ部に登録する（Ｓ４０３〜Ｓ４０７）。
【００４６】
同期タイミング更新タイマが終了した場合、回線監視制御部６ｋは、ネットワーク８ｋとの回線状態をチェックし（Ｓ４０８）、回線断状態であれば同期タイミング更新タイマを再登録するとともに、相手無線基地局制御局９０と通信する際の回線同期用クロックのタイミングをずらし、回線再同期の制御を試みる（Ｓ４０９〜Ｓ４１０）。同期タイミング更新タイマが終了すると、ネットワーク８ｋとの回線状態をチェックし、回線確立状態あるいは回線確立中であれば、中央監視制御部１１へ回線再同期確立通知を送出する。回線再同期確立通知を受け付けた中央監視制御部１１は、同期確立失敗タイマを停止（解除）する（Ｓ４１１、Ｓ４１２）。
【００４７】
回線同期確立しないまま、登録した同期確立失敗タイマが終了した場合（Ｓ３２１）、中央監視制御部１１は、無線基地局１０と無線基地局制御局９０との間のネットワーク８０〜８ｎの状態をチェックし（Ｓ４１３）、正常状態の回線があれば該当回線を用いて保守監視卓１へ回線調査を促すための回線障害通知を送信し、回線障害が起きている回線を用いて呼接続を行っている無線送受信機を停波する（Ｓ４１４〜Ｓ４１６）。無線基地局制御局９０とのネットワーク８０〜８ｎのうち、使用可能な回線がなければ回線障害による呼接続不可を防止するため、無線基地局１０の再開を行い、無線基地局制御局９０との回線が復旧するまで待つ（Ｓ４１８）。
【００４８】
このように、本実施の形態では、無線基地局１０を監視制御している中央監視制御部１１が無線基地局１０を立ち上げた後、カード状態監視タイマ値の間隔で各カード３０〜３ｎの運用状態を監視し、回線監視制御部６０〜６ｎの回線障害を検出した場合には、障害を検出した回線監視制御部が持っている再同期監視フラグをオンにし、回線同期外れ検出タイマ値の時間内で状態変化を監視する。その後、障害が復旧すれば該当する再同期監視フラグはオフに戻され、回線同期外れ検出タイマが中断される。また、該当する再同期監視フラグがオンのまま、すなわち回線障害が復旧しないまま回線同期外れ検出タイマが終了した場合には、回線障害が発生した回線監視制御部に対して、回線同期用クロックのタイミングをずらす再同期制御を開始させる。回線が確立しないまま同期確立失敗タイマが終了した場合に保守監視卓１への回線障害通知を送信するようにしている。また、障害が起きている回線を用いて呼接続を行っている無線送受信機２０〜２ｎの該当無線送受信機を停波させて、移動機を他の正常な無線送受信機に移す。
【００４９】
したがって、回線断による障害が発生した場合に保守監視卓１に通知される障害発生や復旧の通知の数が削減されるので、保守監視卓１のリソースの内、障害通知用に使用されていた容量を削減し他の用途に割当てることができる。
【００５０】
（運用パラメータの更新）
次に、無線基地局１０で使用中の運用パラメータを更新する場合について説明する。図６は、図１の無線基地局における運用パラメータ更新の手順を示すフローチャートである。
【００５１】
図６を参照すると、保守者は保守監視卓１からの制御により、無線基地局制御局９０からネットワーク８０〜８ｎを介して回線監視制御部６０〜６ｎへ局データダウンロード開始要求信号を送信する。
【００５２】
中央監視制御部１１は、回線監視制御部６０〜６ｎを介して、局データダウンロード開始要求信号を受け付けると待機系ＳＤＭ４１を書き込み許可状態とし、局データダウンロード開始応答信号を返す（Ｓ６１０〜Ｓ６１２）。続いて、無線基地局制御局９０から送信されてくる局データダウンロード要求信号を受け付けて、その内容を待機系ＳＤＭ４１へ書き込み、書き込みが終了したら局データダウンロード応答信号を無線基地局制御局９０へ送信する（Ｓ６１３〜Ｓ６１８）。
【００５３】
中央監視制御部１１は、無線基地局制御局９０から局データダウンロード終了要求信号を受け付けると、待機系ＳＤＭ４１を書き込み禁止状態に戻し、無線基地局制御局９０へ局データダウンロード終了応答信号を返す（Ｓ６１９〜Ｓ６２１）。局データダウンロード終了応答信号を送信後、待機系ＳＤＭ４１に書き込んだ更新運用パラメータを読み出し、現用系ＳＤＭ４０を書き込み許可状態にしてから現用系ＳＤＭ４０へ更新運用パラメータを書き込み、書き込み終了後、現用系ＳＤＭ４０を書き込み禁止状態に戻し、現用系ＳＤＭ４０と待機系ＳＤＭ４１の内容を同じにする（Ｓ６２２〜Ｓ６２５）。
【００５４】
保守者は、運用パラメータの更新タイミングを見計り、無線基地局１０に対して運用パラメータの更新を指示すると、無線基地局制御局９０は、保守者からの運用パラメータ更新要求に従い、無線基地局１０へ運用パラメータ更新要求信号を送信する（Ｓ６２６）。
【００５５】
無線基地局１０は、運用パラメータ更新要求信号を受け付けると無線基地局制御局９０へ運用パラメータ更新要求応答を返した後、無線基地局１０の再開を行い、運用パラメータの更新を終了する（Ｓ６２７〜Ｓ６３７）。
【００５６】
【発明の効果】
以上説明したように、本発明の回線復旧方法及び移動通信システムによれば、無線基地局と相手無線基地局制御局との間の回線で、ある一定時間同期が確立しなかった場合に、無線基地局が相手無線基地局制御局と通信する際の回線同期用クロックのタイミングをずらす回線再同期の制御を試行することにより、以下の効果が得られる。
【００５７】
第１の効果は、無線基地局が各カードを定期的に監視し、回線障害が発生した場合に、瞬断か回線同期外れかを切り分け、回線同期外れと判断した場合に回線接続不可状態を早期に解消することができることである。
【００５８】
第２の効果は、瞬断などの一時障害、あるいは再同期の試行により回線確立した場合には、保守監視卓に通知しないことから、回線障害が起きている無線基地局を容易に特定することができることである。
【図面の簡単な説明】
【図１】本発明に係わる移動通信システムの構成図である。
【図２】本発明の回線復旧方法が適用される無線基地局の一つの実施の形態を示すブロック図である。
【図３】図１の無線基地局における運用状態の監視方法を説明するためのフローチャートである。
【図４】図１の無線基地局における再同期確立処理と回線障害通知処理の手順を示すフローチャートである。
【図５】図１の無線基地局における架内立ち上げ処理と回線断の検出から回線障害通知を行うまでの流れを示すフローチャートである。
【図６】図１の無線基地局における運用パラメータ更新の手順を示すフローチャートである。
【符号の説明】
１　　保守監視卓
２　　無線基地局制御局
３　　無線基地局
４　　移動機
１０　　無線基地局
１１　　中央監視制御部
２０〜２ｎ　　無線送受信機
３０〜３ｎ　　カード
４０　　現用系ＳＤＭ
４１　　待機系ＳＤＭ
４２　　カード状態監視タイマ値
４３　　回線同期外れ保護段数
４４　　同期確立失敗保護段数
４５　　共通メモリ
５０〜５ｎ　　再同期監視フラグ
６０〜６ｎ　　回線監視制御部
７０〜７ｎ　　同期タイミング更新タイマ値
８０〜８ｎ　　ネットワーク
９０　　無線基地局制御局
【図１】
2004064451.tif 000003
【図２】
2004064451.tif 000004
【図３】
2004064451.tif 000005
【図４】
2004064451.tif 000006
【図５】
2004064451.tif 000007
【図６】
2004064451.tif 000008